(57)【特許請求の範囲】
【請求項１】
専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、
宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、
指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を電子メールデータのヘッダ情報のＳｕｂｊｅｃｔフィールドにセットし、上記電子メール本文データを本文データにセットした電子メールデータを形成し、その電子メールデータをローカルエリアネットワークおよびインターネットを介して宛先端末に送信するとともに、
指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータのヘッダ情報のＳｕｂｊｅｃｔフィールドにセットした電子メールデータを形成し、その電子メールデータをローカルエリアネットワークおよびインターネットを介して宛先端末に送信する一方、
受信した電子メールデータのヘッダ情報のＳｕｂｊｅｃｔフィールドに、いずれかの最終宛先番号がセットされているときには、その受信した電子メールデータから送信画情報を逆変換し、公衆網を用いてその最終宛先番号へ発呼し、上記逆変換により形成した送信画情報を送信するとともに、
受信した電子メールデータのヘッダ情報のＳｕｂｊｅｃｔフィールドに、上記所定の固有値がセットされているときには、その受信した電子メールデータから送信画情報を逆変換し、その送信画情報を元の画像データに復号化し、その復号結果得られた画像を記録出力することを特徴とするインターネットファクシミリ装置。
【請求項２】
専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、
宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、
指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を対応する国内電話番号に変換したものを電子メールデータのヘッダ情報のＳｕｂｊｅｃｔフィールドにセットし、上記電子メール本文データを本文データにセットした電子メールデータを形成し、その電子メールデータをローカルエリアネットワークおよびインターネットを介して宛先端末に送信するとともに、
指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータのヘッダ情報のＳｕｂｊｅｃｔフィールドにセットした電子メールデータを形成し、その電子メールデータをローカルエリアネットワークおよびインターネットを介して宛先端末に送信する一方、
受信した電子メールデータのヘッダ情報のＳｕｂｊｅｃｔフィールドに、いずれかの国内電話番号がセットされているときには、その受信した電子メールデータから送信画情報を逆変換し、公衆網を用いてその最終宛先番号へ発呼し、上記逆変換により形成した送信画情報を送信するとともに、
受信した電子メールデータのヘッダ情報のＳｕｂｊｅｃｔフィールドに、上記所定の固有値がセットされているときには、その受信した電子メールデータから送信画情報を逆変換し、その送信画情報を元の画像データに復号化し、その復号結果得られた画像を記録出力することを特徴とするインターネットファクシミリ装置。
【請求項３】
専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、
宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、
指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を電子メールデータの本文の所定項目にセットし、上記電子メール本文データを本文データにセットした電子メールデータを形成し、その電子メールデータをローカルエリアネットワークおよびインターネットを介して宛先端末に送信するとともに、
指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータの本文の所定項目にセットした電子メールデータを形成し、その電子メールデータをローカルエリアネットワークおよびインターネットを介して宛先端末に送信する一方、
受信した電子メールデータの本文の所定項目に、いずれかの最終宛先番号がセットされているときには、その受信した電子メールデータから送信画情報を逆変換し、公衆網を用いてその最終宛先番号へ発呼し、上記逆変換により形成した送信画情報を送信するとともに、
受信した電子メールデータの本文の所定項目に、上記所定の固有値がセットされているときには、その受信した電子メールデータから送信画情報を逆変換し、その送信画情報を元の画像データに復号化し、その復号結果得られた画像を記録出力することを特徴とするインターネットファクシミリ装置。
【請求項４】
専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、
宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、
指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を対応する国内電話番号に変換したものを電子メールデータの本文の所定項目にセットし、上記電子メール本文データを本文データにセットした電子メールデータを形成し、その電子メールデータをローカルエリアネットワークおよびインターネットを介して宛先端末に送信するとともに、
指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータの本文の所定項目にセットした電子メールデータを形成し、その電子メールデータをローカルエリアネットワークおよびインターネットを介して宛先端末に送信する一方、
受信した電子メールデータの本文の所定項目に、いずれかの国内電話番号がセットされているときには、その受信した電子メールデータから送信画情報を逆変換し、公衆網を用いてその最終宛先番号へ発呼し、上記逆変換により形成した送信画情報を送信するとともに、
受信した電子メールデータの本文の所定項目に、上記所定の固有値がセットされているときには、その受信した電子メールデータから送信画情報を逆変換し、その送信画情報を元の画像データに復号化し、その復号結果得られた画像を記録出力することを特徴とするインターネットファクシミリ装置。
【請求項５】
前記電子メールデータのヘッダ情報のＦｒｏｍフィールドには、自端末に登録されているメールアドレスをセットすることを特徴とする請求項１または請求項２または請求項３または請求項４記載のインターネットファクシミリ装置。
【請求項６】
前記電子メールデータの処理後、通信結果を通知する電子メール本文を作成し、その電子メール本文を、受信した電子メールデータのヘッダ情報のＦｒｏｍフィールドにセットされているメールアドレスに通知することを特徴とする請求項５記載のインターネットファクシミリ装置。
【請求項７】
前記電子メールデータのヘッダ情報のＦｒｏｍフィールドには、自端末に登録されているメールアドレスをセットする一方、
前記電子メールデータの処理後、通信結果を通知する電子メール本文を作成し、その電子メール本文を、受信した電子メールデータのヘッダ情報のＦｒｏｍフィールドにセットされているメールアドレスに通知するとともに、その電子メールデータのヘッダ情報のＳｕｂｊｅｃｔフィールドには、前記所定の固有値をセットすることを特徴とする請求項２記載のインターネットファクシミリ装置。
【請求項８】
前記電子メールデータのヘッダ情報のＦｒｏｍフィールドには、自端末に登録されているメールアドレスをセットする一方、
前記電子メールデータの処理後、通信結果を通知する電子メール本文を作成し、その電子メール本文を、受信した電子メールデータのヘッダ情報のＦｒｏｍフィールドにセットされているメールアドレスに通知するとともに、その電子メールデータの本文の所定項目には、前記所定の固有値をセットすることを特徴とする請求項４記載のインターネットファクシミリ装置。
【請求項９】
前記電子メールによる送信画情報の送信動作を行うか否かを設定する設定手段を備えたことを特徴とする請求項１または請求項２記載のインターネットファクシミリ装置。
【発明の詳細な説明】
【０００１】
【発明の属する技術分野】
本発明は、専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置に関する。
【０００２】
【従来の技術】
近年、インターネットの普及に伴い、ローカルエリアネットワークを専用線を介してインターネットプロバイダに接続することでインターネットに接続し、インターネットを介し、異なるローカルエリアネットワークに接続した端末間で、画情報を電子メールとしてやりとりする機能を備えたいわゆるインターネットファクシミリ装置が実用されている。
【０００３】
また、このようなインターネットファクシミリ装置には、一般交換網やＩＳＤＮ（以下、公衆網という）の通信手段をさらに備えることで、公衆網に接続された相手端末とも通信可能にしたものも実用されている。
【０００４】
【発明が解決しようとする課題】
このようなインターネットファクシミリ装置では、インターネットを介して同機能の端末同士でデータをやりとりでき、さらに、公衆網を介して通常のファクシミリ装置との間で画情報のやりとりを行うことができるが、画情報送信操作時に、インターネットを用いるのか、あるいは、一般交換網等を用いるのかを指定する必要があり、相手端末がいずれに接続されているのかを確認する必要があり、不便であった。
【０００５】
本願発明は、かかる実情に鑑みてなされたものであり、送信操作時の不便を解消できるファクシミリ装置を提供することを目的としている。
【０００６】
【課題を解決するための手段】
本発明は、専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を電子メールデータのヘッダ情報のＳｕｂｊｅｃｔフィールドにセットし、上記電子メール本文データを本文データにセットした電子メールデータを形成し、その電子メールデータをローカルエリアネットワークおよびインターネットを介して宛先端末に送信するとともに、指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータのヘッダ情報のＳｕｂｊｅｃｔフィールドにセットした電子メールデータを形成し、その電子メールデータをローカルエリアネットワークおよびインターネットを介して宛先端末に送信する一方、受信した電子メールデータのヘッダ情報のＳｕｂｊｅｃｔフィールドに、いずれかの最終宛先番号がセットされているときには、その受信した電子メールデータから送信画情報を逆変換し、公衆網を用いてその最終宛先番号へ発呼し、上記逆変換により形成した送信画情報を送信するとともに、受信した電子メールデータのヘッダ情報のＳｕｂｊｅｃｔフィールドに、上記所定の固有値がセットされているときには、その受信した電子メールデータから送信画情報を逆変換し、その送信画情報を元の画像データに復号化し、その復号結果得られた画像を記録出力するようにしたものである。
また、専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を対応する国内電話番号に変換したものを電子メールデータのヘッダ情報のＳｕｂｊｅｃｔフィールドにセットし、上記電子メール本文データを本文データにセットした電子メールデータを形成し、その電子メールデータをローカルエリアネットワークおよびインターネットを介して宛先端末に送信するとともに、指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータのヘッダ情報のＳｕｂｊｅｃｔフィールドにセットした電子メールデータを形成し、その電子メールデータをローカルエリアネットワークおよびインターネットを介して宛先端末に送信する一方、受信した電子メールデータのヘッダ情報のＳｕｂｊｅｃｔフィールドに、いずれかの国内電話番号がセットされているときには、その受信した電子メールデータから送信画情報を逆変換し、公衆網を用いてその最終宛先番号へ発呼し、上記逆変換により形成した送信画情報を送信するとともに、受信した電子メールデータのヘッダ情報のＳｕｂｊｅｃｔフィールドに、上記所定の固有値がセットされているときには、その受信した電子メールデータから送信画情報を逆変換し、その送信画情報を元の画像データに復号化し、その復号結果得られた画像を記録出力するようにしたものである。
【０００７】
また、専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を電子メールデータの本文の所定項目にセットし、上記電子メール本文データを本文データにセットした電子メールデータを形成し、その電子メールデータをローカルエリアネットワークおよびインターネットを介して宛先端末に送信するとともに、指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータの本文の所定項目にセットした電子メールデータを形成し、その電子メールデータをローカルエリアネットワークおよびインターネットを介して宛先端末に送信する一方、受信した電子メールデータの本文の所定項目に、いずれかの最終宛先番号がセットされているときには、その受信した電子メールデータから送信画情報を逆変換し、公衆網を用いてその最終宛先番号へ発呼し、上記逆変換により形成した送信画情報を送信するとともに、受信した電子メールデータの本文の所定項目に、上記所定の固有値がセットされているときには、その受信した電子メールデータから送信画情報を逆変換し、その送信画情報を元の画像データに復号化し、その復号結果得られた画像を記録出力するようにしたものである。
また、専用線を介してインターネットプロバイダに接続されたローカルエリアネットワークに接続され、ローカルエリアネットワーク上およびインターネット上での電子メールデータのやりとりの機能と、公衆網を介して行うファクシミリ伝送手順によるファクシミリデータのやりとりの機能を備えたインターネットファクシミリ装置において、宛先端末にインターネットを介してデータのやりとりを行う際のメールアドレス情報と、宛先端末に公衆網を介してデータのやりとりを行う際の宛先電話番号と、その宛先端末を中継端末として適用できる端末と公衆網を介してデータのやりとりを行う際の最終宛先番号とを関連づけて記憶した宛先管理情報を記憶する宛先管理情報記憶手段を備え、指定された宛先電話番号が、いずれかの最終宛先番号として上記宛先管理情報記憶手段に登録されている場合には、送信画情報を所定形式の電子メール本文データに変換し、その最終宛先番号について上記宛先管理情報記憶手段に記憶されているメールアドレス情報を電子メールデータのヘッダ情報のＴｏフィールドにセットし、指定された最終宛先番号を対応する国内電話番号に変換したものを電子メールデータの本文の所定項目にセットし、上記電子メール本文データを本文データにセットした電子メールデータを形成し、その電子メールデータをローカルエリアネットワークおよびインターネットを介して宛先端末に送信するとともに、指定された宛先電話番号が宛先電話番号として上記宛先管理情報記憶手段に登録されている場合には、送信画情報を所定形式の電子メール本文データに変換し、その宛先電話番号について上記宛先管理情報記憶手段に記憶されているメールアドレス情報を電子メールデータのヘッダ情報のＴｏフィールドにセットし、所定の固有値を電子メールデータの本文の所定項目にセットした電子メールデータを形成し、その電子メールデータをローカルエリアネットワークおよびインターネットを介して宛先端末に送信する一方、受信した電子メールデータの本文の所定項目に、いずれかの国内電話番号がセットされているときには、その受信した電子メールデータから送信画情報を逆変換し、公衆網を用いてその最終宛先番号へ発呼し、上記逆変換により形成した送信画情報を送信するとともに、受信した電子メールデータの本文の所定項目に、上記所定の固有値がセットされているときには、その受信した電子メールデータから送信画情報を逆変換し、その送信画情報を元の画像データに復号化し、その復号結果得られた画像を記録出力するようにしたものである。
【００１１】
また、前記電子メールデータのヘッダ情報のＦｒｏｍフィールドには、自端末に登録されているメールアドレスをセットするとよい。また、前記電子メールデータの処理後、通信結果を通知する電子メール本文を作成し、その電子メール本文を、受信した電子メールデータのヘッダ情報のＦｒｏｍフィールドにセットされているメールアドレスに通知するとよい。
【００１２】
また、前記電子メールデータのヘッダ情報のＦｒｏｍフィールドには、自端末に登録されているメールアドレスをセットする一方、前記電子メールデータの処理後、通信結果を通知する電子メール本文を作成し、その電子メール本文を、受信した電子メールデータのヘッダ情報のＦｒｏｍフィールドにセットされているメールアドレスに通知するとともに、その電子メールデータのヘッダ情報のＳｕｂｊｅｃｔフィールドには、前記所定の固有値をセットするようにしたものである。
【００１３】
また、前記電子メールデータのヘッダ情報のＦｒｏｍフィールドには、自端末に登録されているメールアドレスをセットする一方、前記電子メールデータの処理後、通信結果を通知する電子メール本文を作成し、その電子メール本文を、受信した電子メールデータのヘッダ情報のＦｒｏｍフィールドにセットされているメールアドレスに通知するとともに、その電子メールデータの本文の所定項目には、前記所定の固有値をセットするようにしたものである。
【００１４】
また、前記電子メールによる送信画情報の送信動作を行うか否かを設定する設定手段を備えるとよい。
【００１５】
【発明の実施の形態】
以下、添付図面を参照しながら、本発明の実施の形態を詳細に説明する。
【００１６】
図１は、本発明の一実施例にかかる通信システムを示している。なお、本発明においては、インターネットを利用するアプリケーションとして電子メールを主として取り上げるので、以下の説明においては、電子メール以外のアプリケーションについては省略している。
【００１７】
この通信システムは、主として、米国に設けられたローカルエリアネットワークＬＡＮ１を中心とするドメインＤＭ１と、日本に設けられたローカルエリアネットワークＬＡＮ２を中心とするドメインＤＭ２から構成されている。また、ファクシミリ装置ＦＸ１は、米国内に設置され国際電話回線網ＰＳＴＮを伝送路として用いるグループ３ファクシミリ装置であり、ファクシミリ装置ＦＸ２は、日本国内に設置され国際電話回線網ＰＳＴＮを伝送路として用いるグループ３ファクシミリ装置である。
【００１８】
また、それぞれのドメインＤＭ１，ＤＭ２は、ルータＲＴ１，ＲＴ２を介して、インターネットＩＮＥＴのサービスプロバイダ（網接続業者；図示略）に専用線接続されている。
【００１９】
ここで、ドメインＤＭ１，ＤＭ２には、割り当てを受けたネットワークアドレスに所定値のサブネットアドレスを適用して分割した固有のネットワークアドレスが設定されており、それにより、ドメインＤＭ１，ＤＭ２の相互間で、ルータＲＴ１，ＲＴ２およびインターネットＩＮＥＴを介したデータ伝送を行うことができる。
【００２０】
また、ドメインＤＭ１には、ローカルエリアネットワークＬＡＮ１に接続されているクライアント端末ＣＬ１，ＣＬ２およびインターネットファクシミリ装置ＦＩ１に電子メールサービスを提供するためのメールサーバ端末ＳＶ１が設けられている。また、例えば、おのおののクライアント端末ＣＬ１，ＣＬ２、インターネットファクシミリ装置ＦＩ１、および、メールサーバ端末ＳＶ１には、それぞれドメインＤＭ１のネットワークアドレスに固有のアドレスを連結してなる固有のホストアドレスが設定されており、このドメインＤＭ１を使用するユーザは、固有のユーザ名に、いずれかのクライアント端末ＣＬ１，ＣＬ２のホストアドレスを連結してなるユーザアドレスが設定される。
【００２１】
同様に、ドメインＤＭ２には、ローカルエリアネットワークＬＡＮ２に接続されているクライアント端末ＣＬ３，ＣＬ４およびインターネットファクシミリ装置ＦＩ２に電子メールサービスを提供するためのメールサーバ端末ＳＶ２が設けられている。また、例えば、おのおののクライアント端末ＣＬ３，ＣＬ４、インターネットファクシミリ装置ＦＩ２、および、メールサーバ端末ＳＶ２には、それぞれドメインＤＭ２のネットワークアドレスに固有のアドレスを連結してなる固有のホストアドレスが設定されており、このドメインＤＭ２を使用するユーザは、固有のユーザ名に、いずれかのクライアント端末ＣＬ３，ＣＬ４のホストアドレスを連結してなるユーザアドレスが設定される。
【００２２】
また、インターネットファクシミリＦＩ１，ＦＩ２は、ローカルエリアネットワークＬＡＮ１，ＬＡＮ２に接続して、画情報を電子メールとしてやりとりするための伝送機能と、国際電話回線網（公衆網）ＰＳＴＮに接続し、この国際電話回線網ＰＳＴＮを伝送路として用いてグループ３ファクシミリ伝送手順による画情報伝送を行う伝送機能を備えている。
【００２３】
基本的には、ローカルエリアネットワークＬＡＮ１，ＬＡＮ２に接続されている端末相互間でのデータのやりとりは、および、インターネットＩＮＥＴを介して行うデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２４】
また、本実施例では、電子メールは、メールサーバ端末ＳＶ１，ＳＶ２にいったん蓄積された後に宛先へと配信される蓄積配信型の伝送形態で送信される。このとき、電子メールに付されている宛先アドレス（後述）の値が、それぞれのドメインＤＭ１，ＤＭ２に設定されているネットワークアドレスを含む場合には、その電子メールは、対応するメールサーバ端末ＳＶ１，ＳＶ２にそのまま蓄積され、また、電子メールに付されている宛先アドレスの値が、それぞれのドメインＤＭ１，ＤＭ２に設定されているネットワークアドレス以外の値を含む場合には、その電子メールは、ルータＲＴ１，ＲＴ２を介して、インターネットＩＮＥＴに送り出され、インターネットＩＮＥＴのデータ転送機能により、その宛先アドレスの値に対応したネットワークアドレスを持つ適宜なドメインあるいはホストなどに送信される。
【００２５】
したがって、例えば、ドメインＤＭ１の各ユーザからドメインＤＭ２の各ユーザへの電子メールは、メールサーバ端末ＳＶ１にいったん蓄積され、このメールサーバ端末ＳＶ１に蓄積された電子メールは、ルータＲＴ１を介してインターネットＩＮＥＴに送り出され、インターネットＩＮＥＴを介して相手側のドメインＤＭ２のメールサーバ端末ＳＶ２に送信されて蓄積される。
【００２６】
一方、各端末（クライアント端末およびインターネットファクシミリ装置）は、適宜な周期でメールサーバ端末ＳＶ１，ＳＶ２に対して、自端末のユーザ宛の電子メール受信の問い合わせを行い、ユーザ宛の電子メールがメールサーバ端末ＳＶ１，ＳＶ２に蓄積されているときには、メールサーバ端末ＳＶ１，ＳＶ２よりその電子メールを受信して、自端末ユーザにその旨を通知する。ただし、この場合、インターネットファクシミリ装置については、自端末に設定されている電子メールアドレスをユーザアドレスとして取り扱う。
【００２７】
ここで、各端末がメールサーバ端末ＳＶ１，ＳＶ２に対して、ユーザ宛の電子メールの受信確認のために適用するプロトコルは、いわゆるＰＯＰ（Ｐｏｓｔ  Ｏｆｆｉｃｅ  Ｐｒｏｔｏｃｏｌ）などが適用される。
【００２８】
また、ＴＣＰ／ＩＰ，ＳＭＴＰ，ＰＯＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１３４１，ＲＦＣ１３４２などでそれぞれ規定されている。
【００２９】
図２は、インターネットファクシミリ装置ＦＩ１，ＦＩ２の構成例を示している。
【００３０】
同図において、システム制御部１は、このファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリ装置に固有な各種の情報を記憶するためのものであり、時計回路４は、現在時刻情報を出力するものである。
【００３１】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００３２】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３３】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３４】
網制御装置１１は、このファクシミリ装置を国際電話回線網ＰＳＴＮに接続するためのものであり、自動発着信機能を備えている。
【００３５】
ローカルエリアネットワークインターフェース回路１２は、このインターネットファクシミリ装置をローカルエリアネットワークに接続するためのものであり、ローカルエリアネットワーク伝送制御部１３は、ローカルエリアネットワークおよびインターネットを介して、他のデータ端末装置との間で種々のデータをやりとりするための所定のプロトコルスイートの通信制御処理を実行するためのものである。
【００３６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３７】
また、網制御装置１１とグループ３ファクシミリモデム１０との間のデータのやりとりは、直接行なわれている。
【００３８】
また、インターネットファクシミリ装置ＦＩ１，ＦＩ２のパラメータメモリ３には、おのおのの宛先インターネットファクシミリ装置について、国際電話回線網ＰＳＴＮを介して接続する際に参照する電話番号と、ローカルエリアネットワークＬＮ１，ＬＮ２およびインターネットＩＮＥＴを介して接続する際に参照するユーザアドレスとの関係をあらわす電話番号変換テーブルが記憶されている。その電話番号変換テーブルの一例を図３（ａ）に示す。
【００３９】
この場合、ユーザアドレスに相当する対応メールアドレスのホストアドレス値としては、容易に認識できるようなホスト名が用いられている。このホスト名は、例えば、各ドメインにおいてホスト名に対応するホストアドレスの対応表を一括管理するＤＮＳ（Ｄｏｍａｉｎ  Ｎａｍｅ  Ｓｙｓｔｅｍ；ＲＦＣ１０３４，ＲＦＣ１０３５）サーバなどにより、対応するＩＰアドレスに変換される。また、この場合、ＤＮＳサーバなどのホスト名−ＩＰアドレス変換機能はメールサーバ端末ＳＶ１，ＳＶ２が兼ね備えている。したがって、このホスト名−ＩＰアドレスの変換処理は、メールサーバ端末ＳＶ１，ＳＶ２により行われる。
【００４０】
以上の構成で、このインターネットファクシミリ装置ＦＩ（ＦＩ，ＦＩ２）は、ユーザにより送信動作の操作が行われると、そのときに操作入力された宛先電話番号が、海外のものであるかどうかを調べ、海外のものである場合には、電話番号変換テーブルの内容を参照して、そのときに入力された宛先電話番号が登録されているかどうかを調べる。
【００４１】
登録されていない場合には、網制御装置１１により、宛先電話番号へ発呼し、それ以降は、所定のグループ３ファクシミリ伝送手順を実行して、スキャナ５にセットされた送信原稿の画情報を、宛先端末に送信する。
【００４２】
また、操作入力された宛先電話番号が電話番号変換テーブルに登録されている場合には、その登録されている対応メールアドレスを取り出し、その取り出した対応メールアドレスを宛先アドレスとして用い、スキャナ５にセットされている送信原稿の画情報を本文データにセットした電子メールを形成し、その電子メールを、ローカルエリアネットワーク伝送制御部１３およびローカルエリアネットワークインターフェース回路１２を介してローカルエリアネットワークのメールサーバ端末に送信する。
【００４３】
この場合に送信する電子メールの一例を図４に示す。
【００４４】
電子メールは、基本的に、ヘッダ情報と本文情報からなり、そのヘッダ情報は、基本的には、送信日時情報をセットする「Ｄａｔｅ」フィールド、電子メールの識別のための情報がセットされる「Ｍｅｓｓａｇｅ−ＩＤ」フィールド、発信者を表示するための「Ｆｒｏｍ」フィールド、および、宛先アドレスを表示するための「Ｔｏ」フィールドからなる。
【００４５】
したがって、この場合、送信日時が「Ｔｕｅ，  ２３  Ｊｕｌ  １９９６  １５：４５：２１  ＋０９００（ＪＳＴを示す）」で、電子メールの識別情報が「＜ＸＸＸＸＸＸＸＸＸＸＸＸＸＸ＠ｊｐｎｂｏｘ．＊＊＊＊．ｃｏ．ｊｐ＞」である。また、発信者は日本の「Ｍａｒｋｅｔｉｎｇ＿ＤＩＶ１  ＜ＮＥＴＦＡＸ＿ＪＰＮ＠ｊｐｎｂｏｘ．＊＊＊＊．ｃｏ．ｊｐ＞」であり、宛先アドレスは米国の「＜ＮＥＴＦＡＸ＿ＵＳＡ＠ｕｓａｂｏｘ．＊＊＊＊．ｃｏ．ｊｐ＞」である。
【００４６】
また、本実施例では、発信者を表示する「Ｆｒｏｍ」フィールドには、送信側のインターネットファクシミリ装置のユーザアドレス「＜ＮＥＴＦＡＸ＿ＪＰＮ＠ｊｐｎｂｏｘ．＊＊＊＊．ｃｏ．ｊｐ＞」の先頭に、そのインターネットファクシミリ装置に設定されている送信端末識別情報（ＴＳＩ）の内容「Ｍａｒｋｅｔｉｎｇ＿ＤＩＶ１」を付加することで、受信側で送信側のユーザアドレス以外の識別情報を知ることができるようにしている。
【００４７】
また、本文情報は、基本的には、７ビットコードの可読情報でなければならず、この場合に送信しようとする画情報は、バイナリデータであるので直接送信することができない。そこで、本実施例では、図示のように、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ（多目的メール）；ＲＦＣ１３４１，ＲＦＣ１３４２）形式の情報に変換する。
【００４８】
すなわち、この場合の本文情報は、この本文情報がＭＩＭＥ形式であることを表示する「ＭＩＭＥ−Ｖｅｒｓｉｏｎ」フィールド（この値は、「１．０」固定）、内容の符号化方式を表示するための「Ｃｏｎｔｅｎｔ−Ｔｒａｎｓｆｅｒ−Ｅｎｃｏｄｉｎｇ」フィールド（この場合は、「ｂａｓｅ６４」符号化方式を使用していることを表示）、および、画情報をｂａｓｅ６４符号化規則に従って符号化した後のＭＩＭＥ情報からなる。
【００４９】
この場合のインターネットファクシミリ装置ＦＩ１，ＦＩ２の送信側の処理例を図５に示す。
【００５０】
ユーザの送信操作があり、宛先電話番号が入力されると（処理１０１）、その宛先電話番号が海外のものであるかどうかを調べる（判断１０２）。この判断１０２では、具体的には、国際電話のサービス会社の呼出番号（例えば、日本ではＫＤＤの「００１」等）が先頭に付加されているかどうかで、宛先電話番号が海外のものであるか、国内のものであるかの判断処理を行う。
【００５１】
判断１０２の結果がＹＥＳになるときには、そのときに入力された電話番号が、電話番号変換テーブルに登録されているかどうかを調べる（判断１０３）。判断１０３の結果がＹＥＳになるときには、相手端末がインターネットファクシミリ装置の場合である。
【００５２】
この場合には、対応するメールアドレスを取り出し（処理１０４）、上述したようなヘッダ情報を編集し（処理１０５）、スキャナ５にセットされている送信原稿を読み取って形成した画像データを符号化復号化部８で符号化圧縮し、それによって形成した画情報を、上述したｂａｓｅ６４符号化方式で変換してＭＩＭＥ情報を形成する（処理１０６）。
【００５３】
そして、所定のＳＭＴＰ手順を開始し（処理１０７）、ヘッダ情報と本文情報（ＭＩＭＥ情報）を順次ローカルエリアネットワークに送信して（処理１０８）、ＳＭＴＰ手順を終了し（処理１０９）、電子メールによる画情報送信動作を終了する。
【００５４】
また、そのときに入力された電話番号が国内の場合であり、判断１０２の結果がＮＯになるとき、あるいは、入力された電話番号が海外のものであるが、電話番号変換テーブルに登録されていない場合で、判断１０３の結果がＮＯになるときには、そのときに入力された電話番号を用いて国際電話回線網ＰＳＴＮへ発呼し（処理１１０）、所定のグループ３ファクシミリ送信処理を実行して、スキャナ５にセットされている送信原稿の画情報を送信する（処理１１１）。
【００５５】
そして、画情報の送信を終了すると、回線を復旧して（処理１１２）、一連の画情報送信動作を終了する。
【００５６】
また、インターネットファクシミリ装置が電子メールを受信した場合の処理例を図６に示す。
【００５７】
電子メールを受信すると（判断２０１の結果がＹＥＳ）、本文情報のＭＩＭＥ情報をｂａｓｅ６４符号化方式で逆変換して、画情報データを形成し（処理２０２）、その画情報データを符号化復号化部８で元の画像データに復号化し（処理２０３）、それによって得た画像データをプロッタ６に転送して、受信原稿画像を記録出力する（処理２０４）。
【００５８】
このようにして、本実施例では、海外のインターネットファクシミリ装置に対して、画情報送信を行う場合には、通信料金の追加がないインターネットＩＮＥＴを用いているので、通信コストを大幅に削減することができる。
【００５９】
なお、本実施例では、海外に設置されたインターネットファクシミリ装置に送信する場合に、インターネットを用いるようにしているが、遠隔地に設置されたインターネットファクシミリ装置に送信する場合に、インターネットを用いるようにすることもできる。
【００６０】
ところで、図１の通信システムにおいて、日本のインターネットファクシミリ装置ＦＩ２から米国のファクシミリ装置ＦＸ１に画情報送信する場合、国際電話回線網ＰＳＴＮを利用することもできるが、国際電話通信料が課金されるので、同一国内（すなわち、米国）に設置されたインターネットファクシミリ装置ＦＩ１に画情報送信する場合に比べてコスト的に不利である。
【００６１】
この場合、例えば、日本のインターネットファクシミリ装置ＦＩ２から米国のファクシミリ装置ＦＸ１への画情報送信を、米国のインターネットファクシミリ装置ＦＩ１を中継して行うようにすれば、追加の課金額は、米国のインターネットファクシミリ装置ＦＩ１から米国国内のファクシミリ装置ＦＸ１までの国内通信料金のみとなり、通信コストを大幅に削減することができる。
【００６２】
このような中継動作を実現するための電話番号変換テーブルの一例を図３（ｂ）に示す。
【００６３】
ファクシミリ番号は、宛先電話番号などをあらわし、対応メールアドレスは、中継局となるインターネットファクシミリ装置のアドレスをあらわし、ＮＥＴＦＡＸ−Ｆｌａｇは、このファクシミリ番号の端末がインターネットファクシミリであるか否かをあらわし、転送先ファクシミリ番号は、このファクシミリ番号の端末を中継局として使用する場合の最終的な宛先ファクシミリの電話番号をあらわす。
【００６４】
例えば、宛先電話番号として「００１−１−２０１−６７３−ＸＸＸＸ」が入力された場合には、対応メールアドレスへ電子メールで画情報を送信する。
【００６５】
また、宛先電話番号として、「００１−１−２０１−６７３−ＹＹＹＹ」が入力された場合には、対応メールアドレスのインターネットファクシミリ装置に対して、「００１−１−２０１−６７３−ＹＹＹＹ」への中継送信を依頼する電子メールを送信する。また、この場合には、入力された電話番号が、国際電話番号であるので、転送宛先を指定する場合には、中継局における国内電話番号に変換し、その国内電話番号で転送宛先を指定する。すなわち、この場合の転送宛先の電話番号は、「０２０１−６７３−ＹＹＹＹ」に変換される。
【００６６】
また、［００１−４３−ＡＮＹ」とは、「００１−４３−」が付加されている電話番号全て（すなわち、全てのオーストラリア宛先電話番号）について適用されることをあらわす。例えば、「００１−４３−１−７９７−１１−３４２５」という電話番号が入力された場合、対応メールアドレスの「＜ＮＥＴＦＡＸ＿ＡＳＴ＠ａｓｔｂｏｘ．＊＊＊＊．ｃｏ．ｊｐ＞」に中継送信依頼する電子メールを送信する。また、その場合の転送宛先は、国内番号に変換するので、「０１−７９７−１１−３４２５」になる。
【００６７】
また、「＊０１」とは、短縮番号「０１」が指定された場合に適用されることをあらわす。この場合、対応メールアドレスの「＜ＮＥＴＦＡＸ＿ＦＲＡ＠ｆｒａｂｏｘ．＊＊＊＊．ｃｏ．ｊｐ＞」に中継送信依頼する電子メールを送信する。また、その場合の転送宛先は、「９９−８４−ＸＸＸＸ」である。
【００６８】
同様に、短縮番号の「＊０２」が入力された場合には、ＮＥＴＦＡＸ−Ｆｌａｇの値がＯＦＦにセットされているので、インターネットファクシミリ装置以外のユーザアドレスであることが指定されている。
【００６９】
また、短縮番号の「＊０３」が入力された場合には、対応メールアドレスの「＜ＮＥＴＦＡＸ＿ＦＲＡ＠ｆｒａｂｏｘ．＊＊＊＊．ｃｏ．ｊｐ＞」に電子メールで画情報を送信する。
【００７０】
この場合の電子メールの一例を図７に示す。なお、基本的な形式は、図４に示した電子メールと同一のＭＩＭＥ形式の電子メールであるので、図４と同一部分については説明を省略する。
【００７１】
図示のように、中継送信を指示する電子メールの場合には、転送宛先の電話番号を、ヘッダ情報の「Ｓｕｂｊｅｃｔ」フィールドの値としてセットする。ここで、「Ｓｕｂｊｅｃｔ」フィールドは、通常は、本文の表題などを表示するために用いられる。
【００７２】
一方、その電子メールが中継送信を指示しない場合、すなわち、電子メールの宛先が画情報の最終受信端末である場合（「＊０３」が指定された場合など）には、「Ｓｕｂｊｅｃｔ」フィールドに所定値、例えば、「０００」をセットする。この所定値は、他の値と識別できるものであれば、適宜なものを用いることができる。
【００７３】
したがって、電子メールを受信したインターネットファクシミリ装置は、ヘッダ情報の「Ｓｕｂｊｅｃｔ」フィールドの内容を調べて、その値が「０００」であれば、自端末が受信端末であると認識し、受信した画情報の原稿を記録出力する。
【００７４】
また、「Ｓｕｂｊｅｃｔ」フィールドの値が「０００」以外の場合には、受信した電子メールのＭＩＭＥ情報の内容を画情報に変換し、「Ｓｕｂｊｅｃｔ］フィールドに指定された宛先電話番号へ発呼して、その画情報を送信する。
【００７５】
この場合のインターネットファクシミリ装置ＦＩ１，ＦＩ２の送信側の処理例を図８に示す。
【００７６】
ユーザの送信操作があり、宛先電話番号が入力されると（処理３０１）、そのときに入力された電話番号が、電話番号変換テーブルに登録されているかどうかを調べる（判断３０２）。判断３０２の結果がＹＥＳになるときには、対応するメールアドレスを取り出し（処理３０３）、次いで、スキャナ５にセットされている送信原稿を読み取って形成した画像データを符号化復号化部８で符号化圧縮し、それによって形成した画情報を、上述したｂａｓｅ６４符号化方式で変換してＭＩＭＥ情報を形成する（処理３０４）。
【００７７】
そして、そのときに中継送信依頼を行うかどうかを調べ（判断３０５）、中継依頼送信でない場合で判断３０５の結果がＮＯになるときには、「Ｓｕｂｊｅｃｔ」フィールドの値を「０００」にセットする（処理３０６）。
【００７８】
また、中継依頼送信の場合で、判断３０５の結果がＹＥＳになるときには、そのときに入力された宛先電話番号を中継局での国内電話番号への変換処理が必要であるかどうかを調べ（判断３０７）、判断３０７の結果がＹＥＳになるときには、入力された宛先電話番号を国内電話番号へ変換する（処理３０８）。そして、「Ｓｕｂｊｅｃｔ」フィールドに、宛先電話番号または変換後の国内電話番号の値をセットする（処理３０９）。
【００７９】
次いで、自端末のメールアドレス（ユーザアドレス）を取り出し（処理３１０）、自端末に設定されている送信識別情報（ＴＳＩ）の値を取り出し（処理３１１）、送信識別情報とユーザアドレスを連結した値を「Ｆｒｏｍ」フィールドにセットする（処理３１２）。
【００８０】
そして、所定のＳＭＴＰ手順を開始し（処理３１３）、ヘッダ情報をローカルエリアネットワークに送信するとともに（処理３１４）、本文情報（ＭＩＭＥ情報）をローカルエリアネットワークに送信して（処理３１５）、ＳＭＴＰ手順を終了し（処理３１６）、電子メールによる画情報送信動作を終了する。
【００８１】
また、そのときに入力された電話番号が電話番号変換テーブルに登録されていない場合で、判断３０２の結果がＮＯになるときには、そのときに入力された電話番号を用いて国際電話回線網ＰＳＴＮへ発呼し（処理３１７）、所定のグループ３ファクシミリ送信処理を実行して、スキャナ５にセットされている送信原稿の画情報を送信する（処理３１８）。
【００８２】
そして、画情報の送信を終了すると、回線を復旧して（処理３１９）、一連の画情報送信動作を終了する。
【００８３】
また、この場合に、インターネットファクシミリ装置が電子メールを受信したときの処理例を図９に示す。
【００８４】
電子メールを受信すると（判断４０１の結果がＹＥＳ）、「Ｆｒｏｍ」フィールドの内容を保存し（処理４０２）、「Ｓｕｂｊｅｃｔ」フィールドの内容を取り出し（処理４０３）、本文情報のＭＩＭＥ情報をｂａｓｅ６４符号化方式で逆変換して、画情報データを形成する（処理４０４）。
【００８５】
そして、「Ｓｕｂｊｅｃｔ」フィールドの内容が「０００」であったかどうかを調べて（判断４０５）、判断４０５の結果がＹＥＳになるときには、その画情報データを符号化復号化部８で元の画像データに復号化し（処理４０６）、それによって得た画像データをプロッタ６に転送して、受信原稿画像を記録出力する（処理４０７）。
【００８６】
また、「Ｓｕｂｊｅｃｔ」フィールドの内容が「０００」でない場合で、判断４０５の結果がＮＯになるときには、「Ｓｕｂｊｅｃｔ」フィールドにセットされている電話番号を用いて国際電話回線網ＰＳＴＮへ発呼し（処理４０８）、所定のグループ３ファクシミリ送信手順を実行して、受信した画情報を送信する（処理４０９）。
【００８７】
そして、画情報の送信を終了すると、回線を復旧して（処理４１０）、一連の画情報送信動作を終了する。
【００８８】
また、受信側のインターネットファクシミリ装置は、中継送信動作を終了すると、図１０に示したような通信結果を通知する電子メールを、中継依頼元のインターネットファクシミリ装置に対して送信する。なお、この電子メールでは、本文の内容が日本文なので、ＭＩＭＥ形式の電子メールを適用する。また、この場合、電子メールの本文の転送を要求しないので、「Ｓｕｂｊｅｃｔ」フィールドには、「０００」をセットする。
【００８９】
この場合の処理例を図１１に示す。
【００９０】
まず、送信結果をあらわすレポート本文を編集して作成し（処理５０１）、「保存していた「Ｆｒｏｍ」フィールドの内容を取り出してヘッダ情報を作成し（処理５０２）、ヘッダ情報の「Ｓｕｂｊｅｃｔ」フィールドに「０００」をセットして（処理５０３）、送信する電子メールの情報を作成する。
【００９１】
次いで、所定のＳＭＴＰ手順を開始し（処理５０４）、ヘッダ情報をローカルエリアネットワークに送信するとともに（処理５０５）、本文情報（ＭＩＭＥ情報）をローカルエリアネットワークに送信して（処理５０６）、ＳＭＴＰ手順を終了し（処理５０７）、電子メールによる通信結果レポートの送信動作を終了する。
【００９２】
なお、この電子メールを受信した場合には、インターネットファクシミリ装置は、本文の内容をあらわす画像データを形成し、その内容をプロッタ６より記録出力するとよい。
【００９３】
このようにして、本実施例では、遠隔地、特に海外のファクシミリ装置に画情報を送信するとき、そのファクシミリ装置の設置場所に近いインターネットファクシミリ装置を中継して画情報送信を行っているので、通信コストを大幅に削減することができる。
【００９４】
ところで、上述した実施例では、電子メールを用いて画情報を送信するとき、非マルチパートのＭＩＭＥ形式で送信しているために、ヘッダ情報として用いることのできる「Ｓｕｂｊｅｃｔ」フィールドを利用して、転送先電話番号を通知しているが、マルチパートのＭＩＭＥ形式の電子メールを用いるとより詳細な内容を送信することができる。
【００９５】
このマルチパートのＭＩＭＥ形式の電子メールを用いて、画情報を中継送信依頼する場合の電子メールの一例を図１２に示す。なお、この電子メールの基本的な形式は、図４に示した電子メールと同一のＭＩＭＥ形式の電子メールであるので、図４と同一部分については説明を省略する。
【００９６】
ただし、この場合のヘッダ情報の「Ｆｒｏｍ」フィールドは、送信側のインターネットファクシミリ装置のユーザアドレスのみをセットしている。後述のように、送信端末識別情報（ＴＳＩ）の表示は、マルチパートのＭＩＭＥ情報の１つのパートを用いる。また、「Ｓｕｂｊｅｃｔ」フィールドには、転送を指示するための内容（「ｍｅｓｓａｇｅ  ｔｒａｎｓｆｅｒ」）がセットされる。
【００９７】
また、この場合の本文情報は、この本文情報がＭＩＭＥ形式であることを表示する「ＭＩＭＥ−Ｖｅｒｓｉｏｎ」フィールド、本文の内容がマルチパートであることをあらわす「Ｃｏｎｔｅｎｔ−Ｔｙｐｅ」フィールド、各パートを区分する境界情報の文字列の要部を指定するための「ｂｏｕｎｄａｒｙ］項、および、各パートのデータからなる。
【００９８】
また、ＭＩＭＥ情報の最初のパートには、送信端末の送信識別情報がセットされる「ｔｒａｎｓｆｅｒ  ｆｒｏｍ」項と、中継宛先の電話番号（国内電話番号）がセットされる「ｔｒａｎｓｆｅｒ  ｔｏ」項がセットされる。
【００９９】
そして、ＭＩＭＥ情報の次のパートには、画情報をｂａｓｅ６４符号化規則に従って符号化した後のＭＩＭＥ情報がセットされる。また、「Ｃｏｎｔｅｎｔ−Ｔｙｐｅ」フィールドに付加されている「ｎａｍｅ」項は、送信画情報のファイル名をあらわしている。
【０１００】
この場合のインターネットファクシミリ装置ＦＩ１，ＦＩ２の送信側の処理例を図１３に示す。
【０１０１】
ユーザの送信操作があり、宛先電話番号が入力されると（処理６０１）、そのときに入力された電話番号が、電話番号変換テーブルに登録されているかどうかを調べる（判断６０２）。判断６０２の結果がＹＥＳになるときには、対応するメールアドレスを取り出し（処理６０３）、次いで、スキャナ５にセットされている送信原稿を読み取って形成した画像データを符号化復号化部８で符号化圧縮し、それによって形成した画情報を、上述したｂａｓｅ６４符号化方式で変換してＭＩＭＥ情報を形成する（処理６０４）。
【０１０２】
そして、そのときに中継送信依頼を行うかどうかを調べ（判断６０５）、中継依頼送信でない場合で判断６０５の結果がＮＯになるときには、「Ｓｕｂｊｅｃｔ」フィールドの値を「０００」にセットする（処理６０６）。
【０１０３】
また、中継依頼送信の場合で、判断６０５の結果がＹＥＳになるときには、電子メールの本文情報の画情報以外のＭＩＭＥ情報を形成し、全体としてマルチパートＭＩＭＥ情報を形成する（処理６０７）。
【０１０４】
次いで、そのときに入力された宛先電話番号を中継局での国内電話番号への変換処理が必要であるかどうかを調べ（判断６０８）、判断６０８の結果がＹＥＳになるときには、入力された宛先電話番号を国内電話番号へ変換する（処理６０９）。そして、「Ｓｕｂｊｅｃｔ」フィールドに、宛先電話番号または変換後の国内電話番号の値をセットする（処理６１０）。
【０１０５】
次いで、自端末のメールアドレス（ユーザアドレス）を取り出し（処理６１１）、ユーザアドレスの値を「Ｆｒｏｍ」フィールドにセットする（処理６１２）。
【０１０６】
そして、所定のＳＭＴＰ手順を開始し（処理６１３）、ヘッダ情報をローカルエリアネットワークに送信するとともに（処理６１４）、本文情報（非マルチパートＭＩＭＥ情報あるいはマルチパートＭＩＭＥ情報）をローカルエリアネットワークに送信して（処理６１５）、ＳＭＴＰ手順を終了し（処理６１６）、電子メールによる画情報送信動作を終了する。
【０１０７】
また、そのときに入力された電話番号が電話番号変換テーブルに登録されていない場合で、判断６０２の結果がＮＯになるときには、そのときに入力された電話番号を用いて国際電話回線網ＰＳＴＮへ発呼し（処理６１７）、所定のグループ３ファクシミリ送信処理を実行して、スキャナ５にセットされている送信原稿の画情報を送信する（処理６１８）。
【０１０８】
そして、画情報の送信を終了すると、回線を復旧して（処理６１９）、一連の画情報送信動作を終了する。
【０１０９】
また、この場合に、インターネットファクシミリ装置が電子メールを受信したときの処理例を図１４に示す。
【０１１０】
電子メールを受信すると（判断７０１の結果がＹＥＳ）、「Ｆｒｏｍ」フィールドの内容を保存し（処理７０２）、「Ｓｕｂｊｅｃｔ」フィールドの内容を取り出し（処理７０３）、本文情報の画情報の部分のＭＩＭＥ情報をｂａｓｅ６４符号化方式で逆変換して、画情報データを形成する（処理７０４）。
【０１１１】
そして、「Ｓｕｂｊｅｃｔ」フィールドの内容が「０００」であったかどうかを調べて（判断７０５）、判断７０５の結果がＹＥＳになるときには、その画情報データを符号化復号化部８で元の画像データに復号化し（処理７０６）、それによって得た画像データをプロッタ６に転送して、受信原稿画像を記録出力する（処理７０７）。
【０１１２】
また、「Ｓｕｂｊｅｃｔ」フィールドの内容が「０００」でない場合で、判断７０５の結果がＮＯになるときには、送信端末の送信識別情報と中継宛先の電話番号（国内電話番号）をマルチパートＭＩＭＥ情報の「ｔｒａｎｓｆｅｒ  ｆｒｏｍ」項と、「ｔｒａｎｓｆｅｒ  ｔｏ」項からそれぞれ取り出し（処理７０８）、そのときに取り出した中継宛先の電話番号を用いて国際電話回線網ＰＳＴＮへ発呼し（処理７０９）、所定のグループ３ファクシミリ送信手順を実行して、受信した画情報を送信する（処理７１０）。このとき、画情報の先頭に付加する送信端末識別情報の内容として、そのときに「ｔｒａｎｓｆｅｒ  ｆｒｏｍ」項から取り出した送信端末の送信識別情報を適用することが好ましい。
【０１１３】
そして、画情報の送信を終了すると、回線を復旧して（処理７１１）、一連の画情報送信動作を終了する。
【０１１４】
このようにして、本実施例では、マルチパートＭＩＭＥ情報を用いて中継依頼する場合の電子メールを形成しているので、中継依頼に必要な情報を、適宜に送信することができ、非常に便利である。
【０１１５】
さて、上述した実施例では、インターネットＩＮＥＴを介し、電子メールを用いて画情報送信を行うようにしているが、電子メールは、インターネットＩＮＥＴにおいていかなる経路で転送されるか予測できない場合があり、経路途中で傍受され、解読されるなどの不具合を生じるおそれがある。
【０１１６】
そこで、インターネットファクシミリ装置に、インターネットＩＮＥＴを使用させるか否かを指定できるようにすることで、ユーザが安心してファクシミリ通信を行うことができるようになる。
【０１１７】
この場合、例えば、図１５に示すように、ユーザに対してインターネット送信を行うか否かを問い合わせるガイダンスメッセージを表示し（処理８１０）、ユーザがインターネット送信を行う旨を入力した場合には（判断８０２の結果がＹＥＳ）、インターネット送信フラグをオンし（処理８０３）、また、ユーザがインターネット送信を行わない旨を入力した場合には（判断８０２の結果がＮＯ）、インターネット送信フラグをオフする（処理８０４）。
【０１１８】
そして、インターネット送信フラグを記憶する（処理８０５）。
【０１１９】
この場合の送信処理の一例を図１６および図１７に示す。
【０１２０】
ユーザの送信操作があり、宛先電話番号が入力されると（処理９０１）、インターネット送信フラグの値がオン値にセットされているかどうかを調べ（判断９０２）、判断９０２の結果がＹＥＳになっているときには、ユーザに対して、インターネット送信を行うか否かを問い合わせるガイダンスメッセージを表示し（処理９０３）、ユーザがインターネット送信を行う旨を入力した場合には（判断９０４の結果がＹＥＳ）、それ以降、インターネットＩＮＥＴを使用した送信動作を行う。
【０１２１】
すなわち、そのときに入力された電話番号が、電話番号変換テーブルに登録されているかどうかを調べる（判断９０５）。判断９０５の結果がＹＥＳになるときには、対応するメールアドレスを取り出し（処理９０６）、次いで、スキャナ５にセットされている送信原稿を読み取って形成した画像データを符号化復号化部８で符号化圧縮し、それによって形成した画情報を、上述したｂａｓｅ６４符号化方式で変換してＭＩＭＥ情報を形成する（処理９０７）。
【０１２２】
そして、そのときに中継送信依頼を行うかどうかを調べ（判断９０８）、中継依頼送信でない場合で判断９０８の結果がＮＯになるときには、「Ｓｕｂｊｅｃｔ」フィールドの値を「０００」にセットする（処理９０９）。
【０１２３】
また、中継依頼送信の場合で、判断９０８の結果がＹＥＳになるときには、そのときに入力された宛先電話番号を中継局での国内電話番号への変換処理が必要であるかどうかを調べ（判断９１０）、判断９１０の結果がＹＥＳになるときには、入力された宛先電話番号を国内電話番号へ変換する（処理９１１）。そして、「Ｓｕｂｊｅｃｔ」フィールドに、宛先電話番号または変換後の国内電話番号の値をセットする（処理９１２）。
【０１２４】
次いで、自端末のメールアドレス（ユーザアドレス）を取り出し（処理９１３）、自端末に設定されている送信識別情報（ＴＳＩ）の値を取り出し（処理９１４）、送信識別情報とユーザアドレスを連結した値を「Ｆｒｏｍ」フィールドにセットする（処理９１５）。
【０１２５】
そして、所定のＳＭＴＰ手順を開始し（処理９１６）、ヘッダ情報をローカルエリアネットワークに送信するとともに（処理９１７）、本文情報（ＭＩＭＥ情報）をローカルエリアネットワークに送信して（処理９１８）、ＳＭＴＰ手順を終了し（処理９１９）、電子メールによる画情報送信動作を終了する。
【０１２６】
また、インターネット送信フラグの値がオフ値にセットされている場合で判断９０２の結果がＮＯになるとき、あるいは、インターネット送信ガイダンスメッセージに対し、ユーザがインターネット送信を行わない旨を入力した場合で判断９０４の結果がＮＯになるとき、または、そのときに入力された電話番号が電話番号変換テーブルに登録されていない場合で、判断９０５の結果がＮＯになるときには、そのときに入力された電話番号を用いて国際電話回線網ＰＳＴＮへ発呼し（処理９２０）、所定のグループ３ファクシミリ送信処理を実行して、スキャナ５にセットされている送信原稿の画情報を送信する（処理９２１）。
【０１２７】
そして、画情報の送信を終了すると、回線を復旧して（処理９２２）、一連の画情報送信動作を終了する。
【０１２８】
このようにして、本実施例では、ユーザは、インターネットファクシミリ装置毎にインターネット送信をするか否かの設定をするとともに、画情報送信毎にインターネット送信をするか否かの指定をすることができるので、ユーザは、必要に応じてインターネットＩＮＥＴを使用した画情報送信を行うか否かを任意に指定することができる。
【０１２９】
なお、この場合、送信操作時にユーザに対してインターネット送信ガイダンスメッセージを表示して、インターネット送信を行うか否かの操作を行わせているが、このような対話処理以外にも、例えば、「＊＊」を入力するとインターネット送信を行う指定がされたと判断するような直接キー入力の判断処理によって、インターネット送信の可否を判断することもできる。
【０１３０】
ところで、上述した実施例では、公衆網として電話網を使用した場合について説明したが、公衆網としてＩＳＤＮを使用することもできる。その場合には、インターネットファクシミリ装置の装置機能は、グループ４ファクシミリ伝送機能を基本機能として備えるようにすることが好ましい。
【０１３１】
また、上述した実施例では、画情報をＭＩＭＥ情報に変換した後に、電子メールの送信動作を行うようにしているが、この画情報をＭＩＭＥ情報に変換する処理と、電子メールの送信処理を平行して行うようにすることもできる。
【０１３２】
【発明の効果】
以上説明したように、本発明によれば、遠隔地に設置されているインターネットファクシミリ装置に対して、画情報送信を行う場合には、通信料金の追加がないインターネットを用いているので、通信コストを大幅に削減することができるという効果を得る。
【０１３３】
また、遠隔地に設置されたファクシミリ装置への画情報送信を、その対地に近いインターネットファクシミリ装置を中継して行うことができるので、通信コストを大幅に削減することができるという効果を得る。
【０１３４】
また、Ｓｕｂｊｅｃｔフィールドにセットするデータ内容により、中継動作を行うか否かを指定できるので、電子メールの解読のための特別な処理を要せず、簡単な機能の追加で、中継動作を行わせるか、あるいは、受信画情報を記録出力させることができるという効果も得る。
【０１３５】
また、中継動作の指定等の情報を、本文情報としてマルチパートＭＩＭＥ情報を用いて送信できるので、非常に自由度の高い送信動作を行えるという効果も得る。
【０１３６】
また、電子メールで画情報送信した場合の通信結果を、送信端末に通知しているので、送信側では、設定した画情報送信結果を適切に知ることができ、通信管理上非常に便利になるという効果も得る。
【０１３７】
また、ユーザは、インターネットファクシミリ装置毎にインターネット送信をするか否かの設定をするとともに、画情報送信毎にインターネット送信をするか否かの指定をすることができるので、必要に応じてインターネットを使用した画情報送信を行うか否かを任意に指定することができるという効果も得る。
【図面の簡単な説明】
【図１】本発明の一実施例にかかる通信システムを示したブロック図。
【図２】インターネットファクシミリ装置の構成例を示したブロック図。
【図３】電話番号変換テーブルを例示した概略図。
【図４】電子メールの一例を示した概略図。
【図５】インターネットファクシミリ装置の送信時の処理の一例を示したフローチャート。
【図６】インターネットファクシミリ装置が電子メールを受信した場合の処理の一例を示したフローチャート。
【図７】電子メールの他の例を示した概略図。
【図８】インターネットファクシミリ装置の送信時の処理の他の例を示したフローチャート。
【図９】インターネットファクシミリ装置が電子メールを受信した場合の処理の他の例を示したフローチャート。
【図１０】通信結果レポートの電子メールの一例を示した概略図。
【図１１】通信結果レポートの電子メールの送信処理の一例を示したフローチャート。
【図１２】マルチパートのＭＩＭＥ形式の電子メールを用いて、画情報を中継送信依頼する場合の電子メールの一例を示した概略図。
【図１３】インターネットファクシミリ装置の送信時の処理のさらに他の例を示したフローチャート。
【図１４】インターネットファクシミリ装置が電子メールを受信した場合の処理のさらに他の例を示したフローチャート。
【図１５】インターネット送信を行うか否かの設定時の処理の一例を示したフローチャート。
【図１６】インターネットファクシミリ装置の送信時の処理のまたさらに他の例の一部を示したフローチャート。
【図１７】インターネットファクシミリ装置の送信時の処理のまたさらに他の例の他の部分を示したフローチャート。
【符号の説明】
ＦＩ１，ＦＩ２  インターネットファクシミリ装置
ＬＡＮ１，ＬＡＮ２  ローカルエリアネットワーク
ＳＶ１，ＳＶ２  メールサーバ端末
ＣＬ１，ＣＬ２  クライアント端末
ＦＸ１，ＦＸ２  ファクシミリ装置
ＩＮＥＴ  インターネット
ＰＳＴＮ  国際電話回線網
【図１】
0003664197.tif 000002
【図２】
0003664197.tif 000003
【図３】
0003664197.tif 000004
【図４】
0003664197.tif 000005
【図５】
0003664197.tif 000006
【図６】
0003664197.tif 000007
【図７】
0003664197.tif 000008
【図８】
0003664197.tif 000009
【図９】
0003664197.tif 000010
【図１０】
0003664197.tif 000011
【図１１】
0003664197.tif 000012
【図１２】
0003664197.tif 000013
【図１３】
0003664197.tif 000014
【図１４】
0003664197.tif 000015
【図１５】
0003664197.tif 000016
【図１６】
0003664197.tif 000017
【図１７】
0003664197.tif 000018